【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
画像処理ジョブを送信する第１の画像処理装置と、当該第１の画像処理装置により送信された画像処理ジョブを受信し、当該受信した画像処理ジョブを実行する第２の画像処理装置とを含む画像処理システムであって、
前記第１の画像処理装置は、
前記第２の画像処理装置に送信する画像処理ジョブを生成する生成手段と、
前記画像処理システム内で実行された画像処理ジョブにより既に出力された第１の出力量と、前記第１の画像処理装置から前記第２の画像処理装置に送信された画像処理ジョブであって、前記第２の画像処理装置において未だ実行されていない画像処理ジョブにより出力される予定の第２の出力量とを管理する管理手段と、
前記生成手段により生成された画像処理ジョブを前記第２の画像処理装置に対して送信する前に、当該生成された画像処理ジョブにより出力される予定の第３の出力量と、前記第１の出力量及び前記第２の出力量との合計が、予め設定された上限量を超えるか否かを判定する判定手段と、
前記判定手段による判定の結果、前記合計が前記上限量を超えないと判定された場合に、前記第３の出力量を前記第２の出力量に加算して新たな第２の出力量として前記管理手段に管理させるとともに、前記生成された画像処理ジョブを前記第２の画像処理装置に対して送信する送信手段と、
前記送信手段により送信された画像処理ジョブが前記第２の画像処理装置において実行された結果が、前記第２の画像処理装置から通知されてきた場合に、前記第１の出力量及び新たな前記第２の出力量を更新する更新手段と、を備え、
前記第２の画像処理装置は、
前記第１の画像処理装置から画像処理ジョブを受信する受信手段と、
前記受信手段が受信した画像処理ジョブを実行する処理手段と、
前記処理手段が実行した画像処理ジョブの実行結果を前記第１の画像処理装置に通知する通知手段と、
を備えることを特徴とする画像処理システム。
【請求項２】
前記管理手段は、前記第１の出力量及び前記第２の出力量を、ユーザＩＤに対応付けて管理し、
前記判定手段は、前記第３の出力量と、前記生成された画像処理ジョブのユーザＩＤに対応する前記第１の出力量及び前記第２の出力量との合計が、前記生成された画像処理ジョブのユーザＩＤに対して予め設定された上限量を超えるか否かを判定することを特徴とする請求項１に記載の画像処理システム。
【請求項３】
前記第１の画像処理装置は、
表示部に表示した選択画面を介して入力される指示に従って、前記画像処理システム内の複数の画像処理装置の中から、前記生成手段により生成された画像処理ジョブの送信先となる画像処理装置を選択する選択手段を更に備えることを特徴とする請求項１または２に記載の画像処理システム。
【請求項４】
前記選択手段により選択された画像処理装置が、前記画像処理システム内で実行された画像処理ジョブにより既に出力された出力量を管理する手段を備えているか否かを判断する判断手段を更に備え、
前記選択手段により選択された画像処理装置が、前記画像処理システム内で実行された画像処理ジョブにより既に出力された出力量を管理する手段を備えていると前記判断手段が判断した場合は、前記判定手段による判定を行うことなく、前記送信手段が前記生成された画像処理ジョブを前記選択された画像処理装置に送信することを特徴とする請求項３に記載の画像処理システム。
【請求項５】
前記送信手段により送信された画像処理ジョブが前記第２の画像処理装置において正常に実行されたことを示す結果が通知されてきた場合、前記更新手段は、前記第３の出力量を前記第１の出力量に加算して新たな第１の出力量とし、新たな前記第２の出力量から前記第３の出力量を減算して元の前記第２の出力量とすることを特徴とする請求項１から４のいずれか１項に記載の画像処理システム。
【請求項６】
前記送信手段により送信された画像処理ジョブが前記第２の画像処理装置において正常に実行されなかったことを示す結果が通知されてきた場合、前記更新手段は、前記第１の出力量を更新することなく、新たな前記第２の出力量から前記第３の出力量を減算して元の前記第２の出力量とすることを特徴とする請求項１から５のいずれか１項に記載の画像処理システム。
【請求項７】
前記判定手段による判定の結果、前記合計が前記上限量を超えると判定された場合に、前記送信手段は、前記生成手段により生成された画像処理ジョブのうち、前記合計が前記上限量を超えない範囲の量の画像処理ジョブを前記第２の画像処理装置に送信することを特徴とする請求項１から６のいずれか１項に記載の画像処理システム。
【請求項８】
画像処理ジョブを送信する第１の画像処理装置と、当該第１の画像処理装置により送信された画像処理ジョブを受信し、当該受信した画像処理ジョブを実行する第２の画像処理装置と、情報処理装置とを含む画像処理システムであって、
前記第１の画像処理装置は、
前記第２の画像処理装置に送信する画像処理ジョブを生成する生成手段と、
前記生成手段により生成された画像処理ジョブを前記第２の画像処理装置に対して送信する前に、当該生成された画像処理ジョブにより出力される予定の第３の出力量を前記情報処理装置に通知し、当該生成された画像処理ジョブの送信可否を問い合わせる問合せ手段と、
前記問合せ手段による問い合わせの結果、前記情報処理装置から前記生成された画像処理ジョブの送信を許可する旨の応答があった場合に、前記生成された画像処理ジョブを前記第２の画像処理装置に対して送信する送信手段と、を備え、
前記第２の画像処理装置は、
前記第１の画像処理装置から画像処理ジョブを受信する受信手段と、
前記受信手段が受信した画像処理ジョブを実行する処理手段と、
前記処理手段が実行した画像処理ジョブの実行結果を前記情報処理装置に通知する通知手段と、を備え、
前記情報処理装置は、
前記画像処理システム内で実行された画像処理ジョブにより既に出力された第１の出力量と、前記第１の画像処理装置から前記第２の画像処理装置に送信された画像処理ジョブであって、前記第２の画像処理装置において未だ実行されていない画像処理ジョブにより出力される予定の第２の出力量とを管理する管理手段と、
前記第１の画像処理装置からの問い合わせに応じて、前記生成された画像処理ジョブにより出力される予定の第３の出力量と、前記第１の出力量及び前記第２の出力量との合計が、予め設定された上限量を超えるか否かを判定する判定手段と、
前記判定手段による判定の結果に基づいて、前記生成された画像処理ジョブの送信を許可するか否かを前記第１の画像処理装置に応答する応答手段と、
前記第１の画像処理装置から送信された画像処理ジョブが前記第２の画像処理装置において実行された結果が、前記第２の画像処理装置から通知されてきた場合に、前記第１の出力量及び新たな前記第２の出力量を更新する更新手段と、
を備えることを特徴とする画像処理システム。
【請求項９】
画像処理ジョブを送信する第１の画像処理装置と、当該第１の画像処理装置により送信された画像処理ジョブを受信し、当該受信した画像処理ジョブを実行する第２の画像処理装置と、情報処理装置とを含む画像処理システムであって、
前記第１の画像処理装置は、
前記第２の画像処理装置に送信する画像処理ジョブを生成する生成手段と、
前記生成手段により生成された画像処理ジョブを前記第２の画像処理装置に対して送信する送信手段と、を備え、
前記第２の画像処理装置は、
前記第１の画像処理装置から画像処理ジョブを受信する受信手段と、
前記受信した画像処理ジョブを実行する前に、当該受信した画像処理ジョブにより出力される予定の第３の出力量を前記情報処理装置に通知し、当該受信した画像処理ジョブの実行可否を問い合わせる問合せ手段と、
前記問合せ手段による問い合わせの結果、前記情報処理装置から前記受信した画像処理ジョブの実行を許可する旨の応答があった場合に、前記受信した画像処理ジョブを実行する処理手段と、
前記処理手段が実行した画像処理ジョブの実行結果を前記情報処理装置に通知する通知手段と、を備え、
前記情報処理装置は、
前記画像処理システム内で実行された画像処理ジョブにより既に出力された第１の出力量と、前記第１の画像処理装置から前記第２の画像処理装置に送信された画像処理ジョブであって、前記第２の画像処理装置において未だ実行されていない画像処理ジョブにより出力される予定の第２の出力量とを管理する管理手段と、
前記第２の画像処理装置からの問い合わせに応じて、前記受信した画像処理ジョブにより出力される予定の第３の出力量と、前記第１の出力量及び前記第２の出力量との合計が、予め設定された上限量を超えるか否かを判定する判定手段と、
前記判定手段による判定の結果に基づいて、前記受信した画像処理ジョブの実行を許可するか否かを前記第２の画像処理装置に応答する応答手段と、
前記第１の画像処理装置から送信された画像処理ジョブが前記第２の画像処理装置において実行された結果が、前記第２の画像処理装置から通知されてきた場合に、前記第１の出力量及び新たな前記第２の出力量を更新する更新手段と、
を備えることを特徴とする画像処理システム。
【請求項１０】
画像処理システムにおいて、他の画像処理装置に画像処理ジョブを送信し、当該画像処理ジョブを前記他の画像処理装置に実行させる画像処理装置であって、
前記他の画像処理装置に送信する画像処理ジョブを生成する生成手段と、
前記画像処理システム内で実行された画像処理ジョブにより既に出力された第１の出力量と、前記画像処理装置から前記他の画像処理装置に送信された画像処理ジョブであって、前記他の画像処理装置において未だ実行されていない画像処理ジョブにより出力される予定の第２の出力量とを管理する管理手段と、
前記生成手段により生成された画像処理ジョブを前記他の画像処理装置に対して送信する前に、当該生成された画像処理ジョブにより出力される予定の第３の出力量と、前記第１の出力量及び前記第２の出力量との合計が、予め設定された上限量を超えるか否かを判定する判定手段と、
前記判定手段による判定の結果、前記合計が前記上限量を超えないと判定された場合に、前記第３の出力量を前記第２の出力量に加算して新たな第２の出力量として前記管理手段に管理させるとともに、前記生成された画像処理ジョブを前記他の画像処理装置に対して送信する送信手段と、
前記送信手段により送信された画像処理ジョブが前記他の画像処理装置において実行された結果が、前記他の画像処理装置から通知されてきた場合に、前記第１の出力量及び新たな前記第２の出力量を更新する更新手段と、
を備えることを特徴とする画像処理装置。
【請求項１１】
画像処理ジョブを送信する第１の画像処理装置と、当該第１の画像処理装置により送信された画像処理ジョブを受信し、当該受信した画像処理ジョブを実行する第２の画像処理装置とを含む画像処理システムにおける画像処理方法であって、
前記第１の画像処理装置において、
前記第２の画像処理装置に送信する画像処理ジョブを生成する生成工程と、
前記画像処理システム内で実行された画像処理ジョブにより既に出力された第１の出力量と、前記第１の画像処理装置から前記第２の画像処理装置に送信された画像処理ジョブであって、前記第２の画像処理装置において未だ実行されていない画像処理ジョブにより出力される予定の第２の出力量とを管理する管理工程と、
前記生成工程で生成された画像処理ジョブを前記第２の画像処理装置に対して送信する前に、当該生成された画像処理ジョブにより出力される予定の第３の出力量と、前記第１の出力量及び前記第２の出力量との合計が、予め設定された上限量を超えるか否かを判定する判定工程と、
前記判定工程における判定の結果、前記合計が前記上限量を超えないと判定された場合に、前記第３の出力量を前記第２の出力量に加算して新たな第２の出力量として前記管理工程で管理させるとともに、前記生成された画像処理ジョブを前記第２の画像処理装置に対して送信する送信工程と、
前記送信工程で送信された画像処理ジョブが前記第２の画像処理装置において実行された結果が、前記第２の画像処理装置から通知されてきた場合に、前記第１の出力量及び新たな前記第２の出力量を更新する更新工程と、
前記第２の画像処理装置において、
前記第１の画像処理装置から画像処理ジョブを受信する受信工程と、
前記受信工程で受信した画像処理ジョブを実行する処理工程と、
前記処理工程で実行した画像処理ジョブの実行結果を前記第１の画像処理装置に通知する通知工程と、
を備えることを特徴とする画像処理方法。
【請求項１２】
画像処理ジョブを送信する第１の画像処理装置と、当該第１の画像処理装置により送信された画像処理ジョブを受信し、当該受信した画像処理ジョブを実行する第２の画像処理装置と、情報処理装置とを含む画像処理システムにおける画像処理方法であって、
前記第１の画像処理装置において、
前記第２の画像処理装置に送信する画像処理ジョブを生成する生成工程と、
前記生成工程で生成された画像処理ジョブを前記第２の画像処理装置に対して送信する前に、当該生成された画像処理ジョブにより出力される予定の第３の出力量を前記情報処理装置に通知し、当該生成された画像処理ジョブの送信可否を問い合わせる問合せ工程と、
前記問合せ工程における問い合わせの結果、前記情報処理装置から前記生成された画像処理ジョブの送信を許可する旨の応答があった場合に、前記生成された画像処理ジョブを前記第２の画像処理装置に対して送信する送信工程と、
前記第２の画像処理装置において、
前記第１の画像処理装置から画像処理ジョブを受信する受信工程と、
前記受信工程で受信した画像処理ジョブを実行する処理工程と、
前記処理工程で実行した画像処理ジョブの実行結果を前記情報処理装置に通知する通知工程と、
前記情報処理装置において、
前記画像処理システム内で実行された画像処理ジョブにより既に出力された第１の出力量と、前記第１の画像処理装置から前記第２の画像処理装置に送信された画像処理ジョブであって、前記第２の画像処理装置において未だ実行されていない画像処理ジョブにより出力される予定の第２の出力量とを管理する管理工程と、
前記第１の画像処理装置からの問い合わせに応じて、前記生成された画像処理ジョブにより出力される予定の第３の出力量と、前記第１の出力量及び前記第２の出力量との合計が、予め設定された上限量を超えるか否かを判定する判定工程と、
前記判定工程における判定の結果に基づいて、前記生成された画像処理ジョブの送信を許可するか否かを前記第１の画像処理装置に応答する応答工程と、
前記第１の画像処理装置から送信された画像処理ジョブが前記第２の画像処理装置において実行された結果が、前記第２の画像処理装置から通知されてきた場合に、前記第１の出力量及び新たな前記第２の出力量を更新する更新工程と、
を備えることを特徴とする画像処理方法。
【請求項１３】
画像処理ジョブを送信する第１の画像処理装置と、当該第１の画像処理装置により送信された画像処理ジョブを受信し、当該受信した画像処理ジョブを実行する第２の画像処理装置と、情報処理装置とを含む画像処理システムにおける画像処理方法であって、
前記第１の画像処理装置において、
前記第２の画像処理装置に送信する画像処理ジョブを生成する生成工程と、
前記生成工程で生成された画像処理ジョブを前記第２の画像処理装置に対して送信する送信工程と、
前記第２の画像処理装置において、
前記第１の画像処理装置から画像処理ジョブを受信する受信工程と、
前記受信した画像処理ジョブを実行する前に、当該受信した画像処理ジョブにより出力される予定の第３の出力量を前記情報処理装置に通知し、当該受信した画像処理ジョブの実行可否を問い合わせる問合せ工程と、
前記問合せ工程における問い合わせの結果、前記情報処理装置から前記受信した画像処理ジョブの実行を許可する旨の応答があった場合に、前記受信した画像処理ジョブを実行する処理工程と、
前記処理工程で実行した画像処理ジョブの実行結果を前記情報処理装置に通知する通知工程と、
前記情報処理装置において、
前記画像処理システム内で実行された画像処理ジョブにより既に出力された第１の出力量と、前記第１の画像処理装置から前記第２の画像処理装置に送信された画像処理ジョブであって、前記第２の画像処理装置において未だ実行されていない画像処理ジョブにより出力される予定の第２の出力量とを管理する管理工程と、
前記第２の画像処理装置からの問い合わせに応じて、前記受信した画像処理ジョブにより出力される予定の第３の出力量と、前記第１の出力量及び前記第２の出力量との合計が、予め設定された上限量を超えるか否かを判定する判定工程と、
前記判定工程における判定の結果に基づいて、前記受信した画像処理ジョブの実行を許可するか否かを前記第２の画像処理装置に応答する応答工程と、
前記第１の画像処理装置から送信された画像処理ジョブが前記第２の画像処理装置において実行された結果が、前記第２の画像処理装置から通知されてきた場合に、前記第１の出力量及び新たな前記第２の出力量を更新する更新工程と、
を備えることを特徴とする画像処理方法。
【請求項１４】
画像処理システムにおいて、他の画像処理装置に画像処理ジョブを送信し、当該画像処理ジョブを前記他の画像処理装置に実行させる画像処理装置の制御方法であって、
前記他の画像処理装置に送信する画像処理ジョブを生成する生成工程と、
前記画像処理システム内で実行された画像処理ジョブにより既に出力された第１の出力量と、前記画像処理装置から前記他の画像処理装置に送信された画像処理ジョブであって、前記他の画像処理装置において未だ実行されていない画像処理ジョブにより出力される予定の第２の出力量とを管理する管理工程と、
前記生成工程で生成された画像処理ジョブを前記他の画像処理装置に対して送信する前に、当該生成された画像処理ジョブにより出力される予定の第３の出力量と、前記第１の出力量及び前記第２の出力量との合計が、予め設定された上限量を超えるか否かを判定する判定工程と、
前記判定工程における判定の結果、前記合計が前記上限量を超えないと判定された場合に、前記第３の出力量を前記第２の出力量に加算して新たな第２の出力量として前記管理工程で管理するとともに、前記生成された画像処理ジョブを前記他の画像処理装置に対して送信する送信工程と、
前記送信工程で送信された画像処理ジョブが前記他の画像処理装置において実行された結果が、前記他の画像処理装置から通知されてきた場合に、前記第１の出力量及び新たな前記第２の出力量を更新する更新工程と、
を備えることを特徴とする画像処理装置の制御方法。
【請求項１５】
請求項１１から１３のいずれか１項に記載の画像処理方法をコンピュータに実行させるためのプログラム。
【請求項１６】
請求項１４に記載の画像処理装置の制御方法をコンピュータに実行させるためのプログラム。
【手続補正２】
【補正対象書類名】明細書
【補正対象項目名】発明の名称
【補正方法】変更
【補正の内容】
【発明の名称】画像処理システム、画像処理方法、画像処理装置、その制御方法、及びプログラム
【手続補正３】
【補正対象書類名】明細書
【補正対象項目名】０００１
【補正方法】変更
【補正の内容】
【０００１】
本発明は、画像処理ジョブを送信する第１の画像処理装置と、第１の画像処理装置により送信された画像処理ジョブを受信して実行する第２の画像処理装置を含む画像処理システム、画像処理方法、画像処理装置、その制御方法、及びプログラムに関する。
【手続補正４】
【補正対象書類名】明細書
【補正対象項目名】００１６
【補正方法】変更
【補正の内容】
【００１６】
また、本発明の画像処理システムは、画像処理ジョブを送信する第１の画像処理装置と、当該第１の画像処理装置により送信された画像処理ジョブを受信し、当該受信した画像処理ジョブを実行する第２の画像処理装置と、情報処理装置とを含む画像処理システムであって、前記第１の画像処理装置は、前記第２の画像処理装置に送信する画像処理ジョブを生成する生成手段と、前記生成手段により生成された画像処理ジョブを前記第２の画像処理装置に対して送信する送信手段と、を備え、前記第２の画像処理装置は、前記第１の画像処理装置から画像処理ジョブを受信する受信手段と、前記受信した画像処理ジョブを実行する前に、当該受信した画像処理ジョブにより出力される予定の第３の出力量を前記情報処理装置に通知し、当該受信した画像処理ジョブの実行可否を問い合わせる問合せ手段と、前記問合せ手段による問い合わせの結果、前記情報処理装置から前記受信した画像処理ジョブの実行を許可する旨の応答があった場合に、前記受信した画像処理ジョブを実行する処理手段と、前記処理手段が実行した画像処理ジョブの実行結果を前記情報処理装置に通知する通知手段と、を備え、前記情報処理装置は、前記画像処理システム内で実行された画像処理ジョブにより既に出力された第１の出力量と、前記第１の画像処理装置から前記第２の画像処理装置に送信された画像処理ジョブであって、前記第２の画像処理装置において未だ実行されていない画像処理ジョブにより出力される予定の第２の出力量とを管理する管理手段と、前記第２の画像処理装置からの問い合わせに応じて、前記受信した画像処理ジョブにより出力される予定の第３の出力量と、前記第１の出力量及び前記第２の出力量との合計が、予め設定された上限量を超えるか否かを判定する判定手段と、前記判定手段による判定の結果に基づいて、前記受信した画像処理ジョブの実行を許可するか否かを前記第２の画像処理装置に応答する応答手段と、前記第１の画像処理装置から送信された画像処理ジョブが前記第２の画像処理装置において実行された結果が、前記第２の画像処理装置から通知されてきた場合に、前記第１の出力量及び新たな前記第２の出力量を更新する更新手段と、を備えることを特徴とする。また、本発明の画像処理装置は、画像処理システムにおいて、他の画像処理装置に画像処理ジョブを送信し、当該画像処理ジョブを前記他の画像処理装置に実行させる画像処理装置であって、前記他の画像処理装置に送信する画像処理ジョブを生成する生成手段と、前記画像処理システム内で実行された画像処理ジョブにより既に出力された第１の出力量と、前記画像処理装置から前記他の画像処理装置に送信された画像処理ジョブであって、前記他の画像処理装置において未だ実行されていない画像処理ジョブにより出力される予定の第２の出力量とを管理する管理手段と、前記生成手段により生成された画像処理ジョブを前記他の画像処理装置に対して送信する前に、当該生成された画像処理ジョブにより出力される予定の第３の出力量と、前記第１の出力量及び前記第２の出力量との合計が、予め設定された上限量を超えるか否かを判定する判定手段と、前記判定手段による判定の結果、前記合計が前記上限量を超えないと判定された場合に、前記第３の出力量を前記第２の出力量に加算して新たな第２の出力量として前記管理手段に管理させるとともに、前記生成された画像処理ジョブを前記他の画像処理装置に対して送信する送信手段と、前記送信手段により送信された画像処理ジョブが前記他の画像処理装置において実行された結果が、前記他の画像処理装置から通知されてきた場合に、前記第１の出力量及び新たな前記第２の出力量を更新する更新手段と、を備えることを特徴とする。